(57)【要約】【課題】  巻線型コイル部品１の実装不良の発生率を低減する。【解決手段】  複数のコイル巻線２が巻回形成される巻き胴部３の両端側に、それぞれ、巻き胴部３の周面から同じ突出方向に突出先端面の位置を揃えて突き出し形成された複数の脚部４，５が巻き胴部３の周回方向に間隔を介して配列形成されている巻線型コイル部品１において、全ての脚部４，５は巻き胴部３の外端面側となるフィレット形成辺を有する形状と成す。巻き胴部３の両端側において巻線引き出し位置に最も近い脚部４Ａ，５Ｂのフィレット形成辺４Ａf，５Ｂfにはコーナーカット辺８を形成する。脚部４Ａ，５Ｂに接合固定されるコイル巻線の引き出し線は、その引き出し線の仮想延長線がコーナーカット辺８を通る方向にしてフィレット形成辺４Ａf，５Ｂfを避けた位置に配置される構成とする。【選択図】        図１
2006319183.tif 000002
【特許請求の範囲】
【請求項１】
導体線に被覆が施されて成る複数のコイル巻線と、当該複数のコイル巻線が巻回形成される巻き胴部とを有し、巻き胴部の一端側は共通の巻き始め端側と成し、巻き胴部の他端側は共通の巻き終わり端側と成しており、巻き胴部の両端側には、それぞれ、少なくともコイル巻線の本数と同じ数ずつ、当該巻き胴部の周面から同じ突出方向に突出先端面の位置を揃えて突き出し形成された複数の脚部が巻き胴部の周回方向に間隔を介して配列形成され、全ての脚部は巻き胴部の外端面側となるフィレット形成辺を有する形状と成し、前記全てのコイル巻線の巻き始め端側は、それぞれ、巻き胴部の巻き始め端側から、個別に対応した脚部の突出先端面に設けられた外部接続用電極に向けて直線状に引き出されて外部接続用電極面に接合固定され、また、前記全てのコイル巻線の巻き終わり端側は、それぞれ、巻き胴部の巻き終わり端側から、個別に対応した脚部の突出先端面に設けられた外部接続用電極に向けて直線状に引き出されて外部接続用電極面に接合固定されている構成と成しており、巻き胴部の巻き始め端側と、巻き終わり端側とのそれぞれにおける巻線引き出し位置に最も近い脚部のフィレット形成辺には、巻き胴部のコイル巻線巻回中心軸に近い側の端部にコーナーカット辺が形成されており、当該巻線引き出し位置に最も近い脚部の外部接続用電極面に接合固定されるコイル巻線の引き出し線は、外部接続用電極に接合固定された後に接合固定位置よりも外側部分が除去された態様と成し、当該コイル巻線の引き出し線は、その引き出し線の仮想延長線がコーナーカット辺を通る方向にしてフィレット形成辺を避けた位置に配置されていることを特徴とする巻線型コイル部品。
【請求項２】
巻き胴部の巻き始め端側に配列配置されている全ての脚部と、巻き終わり端側に配列配置されている全ての脚部とは、その配置位置および形状が、巻き始め端側と巻き終わり端側とで対称と成し、かつ、巻き胴部のコイル巻線の巻回中心軸を通り脚部の配列方向に直交する対称面に対して対称と成していることを特徴とする請求項１記載の巻線型コイル部品。
【発明の詳細な説明】
【技術分野】
【０００１】
本発明は、巻き胴部に複数のコイル巻線を巻回形成して構成される巻線型コイル部品に関するものである。
【背景技術】
【０００２】
図４には巻線型コイル部品の一形態例が模式的な斜視図により示されている（例えば特許文献１参照）。この巻線型コイル部品３０は、導体線に絶縁被覆が施されて成る複数のコイル巻線３１（３１Ａ，３１Ｂ）と、これらコイル巻線３１Ａ，３１Ｂが巻回形成される巻き胴部３２と、この巻き胴部３２の両端側に設けられている鍔部３３（３３Ａ，３３Ｂ）とを有して構成されている。
【０００３】
この巻線型コイル部品３０の構成では、鍔部３３Ａの一部は脚部３４（３４ａ，３４ｂ）を構成し、また同様に、鍔部３３Ｂの一部は脚部３５（３５ａ，３５ｂ）を構成している。それら脚部３４（３４ａ，３４ｂ），３５（３５ａ，３５ｂ）は、巻き胴部３２の周面から同じ突出方向に突出先端面の位置を揃えて突き出し形成された態様と成し、各脚部３４，３５の突出先端面にはそれぞれ電極３６が形成されている。巻き胴部３２の一端側（例えば、脚部３４が設けられている側）は巻き始め端側と成し、巻き胴部３２の他端側（例えば、脚部３５が設けられている側）は巻き終わり端側と成している。
【０００４】
巻き胴部３２の巻き始め端側の各脚部３４ａ，３４ｂの突出先端面の電極３６には、それぞれ、各コイル巻線３１Ａ，３１Ｂの巻き始め端側が巻き胴部３２から引き出され、個別に対応するコイル巻線３１Ａ又は３１Ｂの導体線部分が接合固定されている。また、巻き胴部３２の巻き終わり端側の各脚部３５ａ，３５ｂの突出先端面の電極３６には、それぞれ、各コイル巻線３１Ａ，３１Ｂの巻き終わり端側が巻き胴部３２から引き出され、個別に対応するコイル巻線３１Ａ又は３１Ｂの導体線部分が接合固定されている。
【０００５】
【特許文献１】特開２０００−２０８３３１号公報
【特許文献２】特開２００４−３１１５６０号公報
【発明の開示】
【発明が解決しようとする課題】
【０００６】
図４に示される巻線型コイル部品３０は例えばコモンモードチョークコイル部品であり、当該巻線型コイル部品３０は、例えば図５（ａ）のモデル図に示されるように例えば回路基板に形成されている平衡線路４１に介設される。つまり、平衡線路４１には、図５（ｂ）の模式的な分解図に示されるように、分断部４２が設けられている。巻線型コイル部品３０は、脚部３４，３５の電極３６を平衡線路４１側に向けた姿勢をとり、平衡線路４１の分断部４２の両端側の線路部分に、それぞれ、対応する脚部３４，３５の電極３６が例えばはんだ３８により接合されて平衡線路４１に介設される。このように、巻線型コイル部品３０の電極３６が例えばはんだ３８によって平衡線路４１に接合されて電気的に接続されることにより、コイル巻線３１Ａ，３１Ｂから成るコモンモードチョークコイルが電気的に平衡線路４１に介設される。
【０００７】
ところで、巻線型コイル部品３０の製造工程において、コイル巻線３１Ａ，３１Ｂの巻き始め端側と巻き終わり端側をそれぞれ対応する脚部３４，３５の電極３６に接合固定する作業は例えば次に示すように行われる。例えば、巻き胴部３２に巻回形成したコイル巻線３１Ａ，３１Ｂの巻き始め端側と巻き終わり端側を、それぞれ、巻き胴部３２から、対応する脚部３４，３５の電極３６に向けてテンションを掛けながら直線状に引き出す。このときの脚部３４，３５と、コイル巻線３１Ａ，３１Ｂの巻き始め端側および巻き終わり端側との配置関係例が図６（ａ）の模式的な平面図に示されている。
【０００８】
そして、然る後に、例えば熱圧着工法により、コイル巻線３１Ａ，３１Ｂの巻き始め端側と巻き終わり端側の引き出し線を電極３６に接合固定する。つまり、図６（ｂ）の模式的なモデル図に示されるように、コイル巻線３１（３１Ａ，３１Ｂ）の引き出し線が載置された電極３６に例えば熱ごて３７を押し付けて、熱ごて３７の熱によって、コイル巻線３１の絶縁被覆を溶かし、また、電極３６と、コイル巻線３１の導体線とを溶融させて当該電極３６とコイル巻線３１の導体線を接合させる。そして、電極３６およびコイル巻線３１の導体線を冷却硬化させた後に、図６（ｃ）に示されるように、電極３６に接合固定されている部分よりも外側部分のコイル巻線３１を除去する。
【０００９】
このようにして、コイル巻線３１の巻き始め端側および巻き終わり端側が、それぞれ、対応する脚部３４，３５の電極３６に接合固定される。
【００１０】
このような電極３６へのコイル巻線３１の接合固定工程において、電極３６のフィレット形成辺側の端縁部分に配置されているコイル巻線３１の絶縁被覆部位や、電極３６のフィレット形成辺から外側に食み出しているコイル巻線３１の絶縁被覆部位が熱ごて３７の熱によって溶融して液状やガス状となって、図７（ａ）のモデル図に示されるように、巻き胴部３２の外端面側である電極３６の端面に付着した状態となることがある。
【００１１】
このように、電極３６の端面に付着した絶縁被覆（つまり、絶縁異物）は、電極３６の端面から除去することが非常に面倒で、難しいために、今までは、その電極３６の端面の絶縁異物は除去せず付着したままの状態であった。このように電極３６の端面に絶縁異物が付着していると、巻線型コイル部品３０を平衡線路４１に良好に接合（実装）させることができないという実装不良の問題が発生し易くなる。つまり、巻線型コイル部品３０を平衡線路４１に例えばはんだ３８により実装する工程では、例えば、巻線型コイル部品３０の電極３６と、平衡線路４１との間にはんだ３８を介在させた状態で巻線型コイル部品３０を平衡線路４１の設定の接合位置に載置する。その後に、加熱によりはんだ３８を溶融させ当該はんだ３８を巻線型コイル部品３０の電極３６および平衡線路４１に接合させて、巻線型コイル部品３０を平衡線路４１に実装する。そのはんだ３８の溶融時に、溶融したはんだ３８の一部は、図７（ｂ）の断面図に示されるように、電極３６の端面を濡れ上がってフィレット４３を形成する。このフィレット４３の形成によって、巻線型コイル部品３０を平衡線路４１に強固に接合させることができる。
【００１２】
しかしながら、図７（ｂ）に示されるように、コイル巻線３１の絶縁被覆に起因した絶縁異物４４が電極３６の端面に付着していると、溶融したはんだ３８が電極３６の端面を濡れ上がることができず良好なフィレット４３が形成されないという問題が生じる。このようなフィレット４３の不良によって、巻線型コイル部品３０の実装不良が発生し易い。
【００１３】
本発明は上記課題を解決するために成されたものであり、その目的は、製造コストの増加を抑制しながら容易に巻線型コイル部品の実装不良の発生率を低減できる巻線型コイル部品を提供することにある。
【課題を解決するための手段】
【００１４】
上記目的を達成するために、この発明は次に示す構成をもって前記課題を解決するための手段としている。すなわち、この発明は、導体線に被覆が施されて成る複数のコイル巻線と、当該複数のコイル巻線が巻回形成される巻き胴部とを有し、巻き胴部の一端側は共通の巻き始め端側と成し、巻き胴部の他端側は共通の巻き終わり端側と成しており、巻き胴部の両端側には、それぞれ、少なくともコイル巻線の本数と同じ数ずつ、当該巻き胴部の周面から同じ突出方向に突出先端面の位置を揃えて突き出し形成された複数の脚部が巻き胴部の周回方向に間隔を介して配列形成され、全ての脚部は巻き胴部の外端面側となるフィレット形成辺を有する形状と成し、前記全てのコイル巻線の巻き始め端側は、それぞれ、巻き胴部の巻き始め端側から、個別に対応した脚部の突出先端面に設けられた外部接続用電極に向けて直線状に引き出されて外部接続用電極面に接合固定され、また、前記全てのコイル巻線の巻き終わり端側は、それぞれ、巻き胴部の巻き終わり端側から、個別に対応した脚部の突出先端面に設けられた外部接続用電極に向けて直線状に引き出されて外部接続用電極面に接合固定されている構成と成しており、巻き胴部の巻き始め端側と、巻き終わり端側とのそれぞれにおける巻線引き出し位置に最も近い脚部のフィレット形成辺には、巻き胴部のコイル巻線巻回中心軸に近い側の端部にコーナーカット辺が形成されており、当該巻線引き出し位置に最も近い脚部の外部接続用電極面に接合固定されるコイル巻線の引き出し線は、外部接続用電極に接合固定された後に接合固定位置よりも外側部分が除去された態様と成し、当該コイル巻線の引き出し線は、その引き出し線の仮想延長線がコーナーカット辺を通る方向にしてフィレット形成辺を避けた位置に配置されていることを特徴としている。
【発明の効果】
【００１５】
この発明によれば、巻線引き出し位置に最も近くてコーナーカット辺が設けられている脚部の外部接続用電極に接合固定されるコイル巻線の引き出し線は、その引き出し線の仮想延長線がコーナーカット辺を通る方向にしてフィレット形成辺を避けた位置に配置されている構成とした。このため、巻き胴部に巻回形成されたコイル巻線を脚部の外部接続用電極面に接合固定する工程において、巻き胴部の巻き始め端側や巻き終わり端側から、個別に対応した脚部の突出先端面の外部接続用電極に向けて直線状に引き出されたコイル巻線の引き出し線は、フィレット形成辺を通らない状態とすることができる。これにより、コイル巻線の引き出し線が配置された外部接続用電極面に例えば熱ごて等を押し当てて当該熱ごての熱によってコイル巻線の絶縁被覆を溶融させた際に、そのコイル巻線はフィレット形成辺を通っていないので、コイル巻線の溶融した絶縁被覆がフィレット形成辺に付着する事態を回避することができる。
【００１６】
これにより、フィレット形成辺に絶縁被覆が付着することに起因して発生する問題、つまり、巻線型コイル部品の実装不良の問題を防止することができて、巻線型コイル部品の信頼性を高めることができる。
【００１７】
また、この発明では、巻き胴部の巻き始め端側と巻き終わり端側とのそれぞれにおいて、巻線引き出し位置に最も近い脚部のフィレット形成辺には、巻き胴部のコイル巻線巻回中心軸に最も近い側の端部にコーナーカット辺が形成され、コイル巻線の引き出し線は、その仮想延長線がコーナーカット辺を通る方向に配置される構成とした。このため、巻き胴部に巻回形成されたコイル巻線を脚部の外部接続用電極面に接合固定する工程において、仮想延長線がコーナーカット辺を通るように配置されたコイル巻線の引き出し線は、当該引き出し線を外部接続用電極面に引き出し配置したときに外部接続用電極面上における配置状態を安定化することができる。このように、外部接続用電極面上におけるコイル巻線の引き出し線の配置位置が安定した状態でコイル巻線の引き出し線と外部接続用電極面との接合作業が行われるので、コイル巻線の引き出し線と、外部接続用電極とを接合強度強く良好に接合させることができる。これにより、巻線型コイル部品の電気的接続の信頼性を向上させることができる。
【００１８】
さらに、巻き胴部の巻き始め端側に配列配置されている全ての脚部と、巻き終わり端側に配列配置されている全ての脚部とは、その配置位置および形状が、巻き始め端側と巻き終わり端側とで対称と成し、かつ、巻き胴部のコイル巻線の巻回中心軸を通り脚部の配列方向に直交する対称面に対して対称と成している構成とすることによって、例えば、巻線型コイル部品の製造工程において、巻き胴部の両端側の何れをもコイル巻線の巻き始め端側としてもよく、巻き胴部の向きを気にすることなく、コイル巻線を巻き胴部に巻回形成することができる。
【００１９】
また、巻線型コイル部品の全ての脚部の先端側の外部接続用電極を、例えばはんだによって、接続相手に接合したときに、巻き胴部の巻き始め端側の全ての脚部の外部接続用電極にそれぞれ接合されるはんだ形成量と、巻き終わり端側の全ての脚部の外部接続用電極にそれぞれ接合されるはんだ形成量とを、巻き始め端側と巻き終わり端側とで対称にでき、また、巻き胴部のコイル巻線の巻回中心軸を通り脚部の配列方向に直交する対称面に対して対称にできる。これにより、巻線型コイル部品をバランス良く安定的に、接続相手に接合固定させることができる。
【発明を実施するための最良の形態】
【００２０】
以下に、この発明に係る実施形態例を図面に基づいて説明する。
【００２１】
図１（ａ）には第１実施形態例の巻線型コイル部品において特徴的な構成部分が平面図により表され、図１（ｂ）には第１実施形態例の巻線型コイル部品の模式的な斜視図が示されている。
【００２２】
第１実施形態例の巻線型コイル部品１はコモンモードチョークコイル部品であり、当該巻線型コイル部品１は、導体線に被覆が施されて成る複数（この第１実施形態例では２本）のコイル巻線２（２Ａ，２Ｂ）と、これら複数のコイル巻線２Ａ，２Ｂが巻回形成される巻き胴部３とを有する。巻き胴部３の一端側（ここでは、説明の便宜上、図１の右側の端部とする）は複数のコイル巻線２Ａ，２Ｂに共通の巻き始め端側と成し、巻き胴部３の他端側（例えば図１の左側の端部）は複数のコイル巻線２Ａ，２Ｂに共通の巻き終わり端側と成している。巻き胴部３の両端側には、それぞれ、コイル巻線２の本数と同じ２本ずつ、脚部４，５が設けられている。巻き胴部３の一端側に設けられている複数の脚部４（４Ａ，４Ｂ）は、巻き胴部３の周面から同じ突出方向に突出先端面の位置を揃えて突き出し形成され、これら複数の脚部４Ａ，４Ｂは巻き胴部３の周回方向に間隔を介して配列形成されている。また、巻き胴部３の他端側に設けられている複数の脚部５（５Ａ，５Ｂ）も、脚部４と同様に、巻き胴部３の周面から同じ突出方向に突出先端面の位置を揃えて突き出し形成され、これら複数の脚部５Ａ，５Ｂは巻き胴部３の周回方向に間隔を介して配列形成されている。
【００２３】
さらに、脚部４Ａ，４Ｂ，５Ａ，５Ｂの各突出先端面には、それぞれ、外部接続用電極６が設けられている。これら各外部接続用電極６には、それぞれ、巻き胴部３から引き出された別々のコイル巻線２の引き出し線が接合固定されている。
【００２４】
この第１実施形態例では、全ての脚部４Ａ，４Ｂ，５Ａ，５Ｂの外端面側となる辺４Ａf，４Ｂf，５Ａf，５Ｂfは、それぞれ、フィレット形成辺と成している。これら各フィレット形成辺４Ａf，４Ｂf，５Ａf，５Ｂfには、それぞれ、巻き胴部３のコイル巻線巻回中心軸Ｏに近い側の端部にコーナーカット辺８が形成されている。換言すれば、この第１実施形態例では、巻き胴部３の巻き始め端側に配列形成されている脚部４Ａ，４Ｂと、巻き終わり端側に配列配置されている脚部５Ａ，５Ｂとは、その配置位置および形状が、巻き始め端側と巻き終わり端側とで対称と成し、かつ、巻き胴部３のコイル巻線２の巻回中心軸Ｏを通り脚部配列方向に直交する対称面に対して対称となっている。
【００２５】
この第１実施形態例では、コイル巻線２（２Ａ，２Ｂ）の巻き始め端側と巻き終わり端側は、それぞれ、巻き胴部３から、個別に対応する脚部４，５の外部接続用電極６に向けて直線状に引き出され当該外部接続用電極６に接合固定されている。このような全てのコイル巻線２の引き出し線は、その引き出し線の仮想延長線（図２の点線Ｓ参照）がフィレット形成辺４Ａf，４Ｂf，５Ａf，５Ｂfを避けて通る位置に配設されている。その上、コイル巻線２の引き出し位置Ｐに最も近い脚部４Ａ，５Ｂの外部接続用電極６に接合固定されるコイル巻線２の引き出し線は、当該引き出し線の仮想延長線Ｓがコーナーカット辺８のほぼ中央部を通る位置に配置されている。
【００２６】
すなわち、コイル巻線２の引き出し線の仮想延長線Ｓは、巻線型コイル部品１の製造工程において、コイル巻線２の引き出し線を例えば熱圧着工法等によって脚部４，５の外部接続用電極６に接合固定した後に除去される引き出し線部分と等価なものである。このことから、巻線型コイル部品１の製造工程において、コイル巻線２を巻き胴部３に巻回形成し、巻き胴部３からそれぞれ個別に対応する脚部４，５の外部接続用電極６に向けてコイル巻線２を直線状に引き出したときに、全てのコイル巻線２の引き出し線は、脚部４，５のフィレット形成辺４Ａf，４Ｂf，５Ａf，５Ｂfを避けた位置に配置されることになる。このため、そのように配置されたコイル巻線２の引き出し線を外部接続用電極６に例えば熱圧着工法等によって接合固定する工程において、全てのコイル巻線２の引き出し線はフィレット形成辺を通っていないので、コイル巻線２の加熱により溶融した絶縁被覆が脚部４，５のフィレット形成辺４Ａf，４Ｂf，５Ａf，５Ｂfに付着する事態を防止することができる。
【００２７】
このように、この第１実施形態例の構成では、フィレット形成辺４Ａf，４Ｂf，５Ａf，５Ｂfに絶縁被覆が付着しない構成としたので、フィレット形成辺４Ａf，４Ｂf，５Ａf，５Ｂfに絶縁被覆が付着することに起因した問題（つまり、絶縁被覆がフィレット形成辺４Ａf，４Ｂf，５Ａf，５Ｂfに付着しているために、巻線型コイル部品１を接続相手に接合（実装）させるためのはんだのフィレットが良好に形成できないというはんだフィレットの形成不良が発生し、これにより、巻線型コイル部品１の実装に対する信頼性が低下するという問題）の発生を回避することができる。
【００２８】
また、この第１実施形態例では、コイル巻線２の引き出し位置Ｐに最も近い脚部４Ａ，５Ｂの外部接続用電極６に接合固定されるコイル巻線２の引き出し線は、その引き出し線の仮想延長線Ｓが脚部４，５のコーナーカット辺８を通る位置に配置されている構成としたので、次に示すような効果を得ることができる。つまり、コイル巻線２の引き出し位置Ｐに最も近い脚部４Ａ，５Ｂの外部接続用電極６に接合固定されるコイル巻線２の引き出し線は、コイル巻線２の巻回方向に対する引き出し方向の傾き角度（引き出し角度）θが、巻線引き出し位置Ｐに遠い側の脚部４Ｂ，５Ａの外部接続用電極６に接合固定されるコイル巻線２の引き出し線における引き出し角度θ’に比べて大きい。このため、コイル巻線２の引き出し線を巻回方向に向けようとする力が大きく作用する。これにより、コーナーカット辺８が設けられていない場合には、コイル巻線２を巻き胴部３から脚部４，５の外部接続用電極６に向けて引き出してから当該引き出し線を外部接続用電極６に接合固定するまでの間に、コイル巻線２の引き出し位置Ｐに最も近い脚部４Ａ，５Ｂの外部接続用電極６に接合固定されるコイル巻線２の引き出し線は、不安定となって位置ずれし易い。このため、そのコイル巻線２の引き出し線の位置ずれを防止しながら、当該引き出し線と外部接続用電極６との接合固定作業を行わなければならないので、当該コイル巻線２の引き出し線を外部接続用電極６に接合固定する作業が煩雑になりやすいという問題が生じる。
【００２９】
これに対して、この第１実施形態例では、コーナーカット辺８を設け、コイル巻線２の引き出し位置Ｐに最も近い脚部４Ａ，５Ｂの外部接続用電極６に接合固定されるコイル巻線２の引き出し線がコーナーカット辺８を通るように配置する構成としたので、仮に、その引き出し線が動いて位置ずれしたとしても、その位置ずれはコーナーカット辺８の範囲内で抑えることができる。これにより、コイル巻線２の引き出し位置Ｐに最も近い脚部４Ａ，５Ｂの外部接続用電極６に接合固定されるコイル巻線２の引き出し線の位置ずれを小さく抑制することが容易にできることとなる。このため、引き出し線の外部接続用電極６への接合工程作業の手間を軽減することができる。
【００３０】
以下に、第２実施形態例を説明する。なお、この第２実施形態例の説明において、第１実施形態例と同一構成部分には同一符号を付し、その共通部分の重複説明は省略する。
【００３１】
この第２実施形態例の巻線型コイル部品１において特徴的な構成部分が図３（ａ）の模式的な平面図に示されている。この第２実施形態例では、巻線型コイル部品１の巻き胴部３には、３本のコイル巻線２（２Ａ，２Ｂ，２Ｃ）が巻回形成されている。また、巻き胴部３の両端側には、それぞれ、コイル巻線２の本数と同じ数（つまり、３本）ずつ、脚部４（４Ａ，４Ｂ，４Ｃ），５（５Ａ，５Ｂ，５Ｃ）が突出形成されている。それら脚部４（４Ａ，４Ｂ，４Ｃ），５（５Ａ，５Ｂ，５Ｃ）は、第１実施形態例に示した脚部４，５と同様に、巻き胴部３の周面から同じ突出方向に突出先端面の位置を揃えて突き出し形成されている。また、脚部４（４Ａ，４Ｂ，４Ｃ）は、脚部４Ｂを中央にして当該脚部４Ｂを脚部４Ａ，４Ｃが挟み込むような配列形態でもって、巻き胴部３の周回方向に間隔を介して配列形成されている。脚部５（５Ａ，５Ｂ，５Ｃ）も同様に、脚部５Ｂを中央にして当該脚部５Ｂを脚部５Ａ，５Ｃが挟み込むような配列形態でもって、巻き胴部３の周回方向に間隔を介して配列形成されている。
【００３２】
この第２実施形態例では、脚部４（４Ａ，４Ｂ，４Ｃ），５（５Ａ，５Ｂ，５Ｃ）における巻き胴部３の外端面側となる辺４Ａf，４Ｂf，４Ｃf，５Ａf，５Ｂf，５Ｃfがフィレット形成辺である。また、脚部４Ａ，４Ｃ，５Ａ，５Ｃのフィレット形成辺４Ａf，４Ｃf，５Ａf，５Ｃfは、巻き胴部３のコイル巻線巻回中心軸Ｏに近い側の端部にコーナーカット辺８が形成されている。さらに、この第２実施形態例では、脚部４Ａ，４Ｃ，５Ａ，５Ｃのフィレット形成辺４Ａf，４Ｃf，５Ａf，５Ｃfに対向する辺にも、巻き胴部３のコイル巻線巻回中心軸Ｏに近い側の端部にコーナーカット辺１０が形成されている。このコーナーカット辺１０は、巻き胴部３から脚部４Ｂ，５Ｂの突出先端面に向けて直線状に引き出されたコイル巻線２Ｂの引き出し線が、脚部４Ａ，５Ｃと干渉しないように形成されたものであり、コイル巻線２Ｂの引き出し線の引き出し方向などを考慮して、コーナーカット辺１０の配置位置等が設計されている。
【００３３】
この第２実施形態例では、巻き胴部３の一端側に配置されている全ての脚部４Ａ，４Ｂ，４Ｃと、巻き胴部３の他端側に配置されている全ての脚部５Ａ，５Ｂ，５Ｃとは、その配置位置および形状が、巻き胴部３の一端側と他端側とで対称と成し、かつ、巻き胴部３のコイル巻線巻回中心軸Ｏを通り脚部４Ａ，４Ｂ，４Ｃ（あるいは５Ａ，５Ｂ，５Ｃ）の配列方向に直交する対称面に対して対称と成している。
【００３４】
このような脚部４，５の突出先端面には外部接続用電極６が形成されており、各外部接続用電極６には、それぞれ個別に対応するコイル巻線２の引き出し線が接合固定されている。この第２実施形態例においても、第１実施形態例と同様に、図３（ｂ）に示されるように、全てのコイル巻線２の引き出し線は、その引き出し線の仮想延長線Ｓが脚部４，５のフィレット形成辺４Ａf，４Ｂf，４Ｃf，５Ａf，５Ｂf，５Ｃfを避けた位置に配置されるように、巻き胴部３から、個別に対応する外部接続用電極６に向けて直線状に引き出されている。かつ、巻線引き出し位置に最も近い脚部４Ａ，５Ｃの外部接続用電極６に接合固定されるコイル巻線２の引き出し線は、その引き出し線の仮想延長線Ｓがコーナーカット辺８を通るように配置されている。
【００３５】
この第２実施形態例の巻線型コイル部品１における上記以外の構成は第１実施形態例と同様であり、この第２実施形態例の構成においても、第１実施形態例と同様の効果を得ることができる。
【００３６】
なお、この発明は第１や第２の各実施形態例の形態に限定されるものではなく、様々な実施の形態を採り得る。例えば、第１実施形態例では、２本のコイル巻線２が巻き胴部３に巻回形成される構成であり、第２実施形態例では、３本のコイル巻線２が巻き胴部３に巻回形成される構成であったが、本発明は、４本以上のコイル巻線が巻き胴部に巻回形成される構成を持つ巻線型コイル部品にも適用することができる。なお、４本以上のコイル巻線が巻き胴部に巻回形成される場合には、巻き胴部の両端側に、それぞれ、４本以上の脚部、つまり、少なくともコイル巻線の本数と同じ数ずつの脚部が突出形成されることとなる。
【００３７】
また、第１と第２の各実施形態例では、巻き胴部３の一端側（巻き始め端側）に配列配置されている全ての脚部４と、巻き胴部３の他端側（巻き終わり端側）に配列配置されている全ての脚部５とは、その配置位置および形状が、巻き始め端側と巻き終わり端側とで対称と成し、かつ、巻き胴部３のコイル巻線巻回中心軸Ｏを通り脚部の配列方向に直交する対称面に対して対称と成している構成であったが、例えば、図１に示されるように、巻き胴部３の一端側に脚部４Ａ，４Ｂが、また、巻き胴部３の他端側に脚部５Ａ，５Ｂが、それぞれ、配設されている場合に、コイル巻線２の引き出し位置Ｐに最も近い脚部４Ａ，５Ｂのフィレット形成辺４Ａf，５Ｂfにはコーナーカット辺８が形成されているのに対して、脚部４Ｂ，５Ａのフィレット形成辺４Ｂf，５Ａfにはコーナーカット辺が形成されていないという如く、脚部４，５の形状および配置位置が上記のような対称構成と成していなくともよい。
【００３８】
さらに、第１や第２の各実施形態例では、巻き胴部３は四角柱状の形態であったが、巻き胴部３は例えば円柱状等の、四角柱状以外の形態であってもよい。さらに、第１や第２の各実施形態例では、巻き胴部３の両端側には、それぞれ、巻き胴部３に巻回形成されるコイル巻線２の本数と同じ数ずつ、脚部４，５が突出形成されていたが、例えば、巻き胴部３の両端側には、それぞれ、巻き胴部３に巻回形成されるコイル巻線２の本数よりも多い数ずつ、脚部４，５が突出形成されている構成としてもよい。さらに、図１等の図示の例では、コイル巻線２は巻き胴部３に単層に巻回形成されていたが、本発明は、コイル巻線が巻き胴部に多層巻きされている構成を持つ巻線型コイル部品にも適用することができるものである。さらに、第１や第２の各実施形態例では、巻線型コイル部品はコモンモードチョークコイル部品であったが、複数のコイル巻線が巻回形成される巻き胴部と、巻き胴部の両端側にそれぞれ少なくともコイル巻線の本数と同じ数ずつ突出形成される脚部と、脚部の突出先端面に形成される外部接続用電極と有し、コイル巻線の巻き始め端側と巻き終わり端側とはそれぞれ、個別に対応する脚部の外部接続用電極に直線状に引き出されて接合固定されている構成を持つものであれば、本発明は適用することができる。
【図面の簡単な説明】
【００３９】
【図１】第１実施形態例の巻線型コイル部品を説明するための図である。
【図２】第１実施形態例の巻線型コイル部品において特有な構成部分を説明するための図である。
【図３】第２実施形態例の巻線型コイル部品を説明するための図である。
【図４】巻線型コイル部品の一形態例を説明するための図である。
【図５】巻線型コイル部品の実装形態の一例を説明するための図である。
【図６】巻線型コイル部品の脚部にコイル巻線を接合固定する作業の一例を説明するための図である。
【図７】巻線型コイル部品の従来の課題を説明するための図である。
【符号の説明】
【００４０】
１  巻線型コイル部品
２  コイル巻線
３  巻き胴部
４，５  脚部
６  外部接続用電極
８  コーナーカット辺
【図１】
2006319183.tif 000003
【図２】
2006319183.tif 000004
【図３】
2006319183.tif 000005
【図４】
2006319183.tif 000006
【図５】
2006319183.tif 000007
【図６】
2006319183.tif 000008
【図７】
2006319183.tif 000009